(57)【要約】【課題】低コストで簡便に据置型読み取り装置の載置部の汚染や傷付きを防止する。【解決手段】識別記号を形成された読み取り対象物を載置して識別記号を読み取るための載置部を筐体の上方に設けた据置型読み取り装置の汚染を防止する、据置型読み取り装置の汚染防止カバーであって、全体が透明材料により形成され、据置型読み取り装置の筐体の上方に設けた載置部上に配置される上面部と、上面部の縁部に形成されて筐体の側壁部と対向して配置される周壁部とを有し、据置型読み取り装置の筐体の上方側から筐体を被覆する。【選択図】        図３
2018202057.tif 000002
【特許請求の範囲】
【請求項１】
識別記号を形成された読み取り対象物を載置して前記識別記号を読み取るための載置部を筐体の上方に設けた据置型読み取り装置の汚染を防止する、据置型読み取り装置の汚染防止カバーであって、
全体が透明材料により形成され、据置型読み取り装置の筐体の上方に設けた載置部上に配置される上面部と、前記上面部の縁部に形成されて前記筐体の側壁部と対向して配置される周壁部とを有し、
前記据置型読み取り装置の前記筐体の上方側から前記筐体を被覆する
ことを特徴とする据置型読み取り装置の汚染防止カバー。
【請求項２】
請求項１に記載の据置型読み取り装置の汚染防止カバーにおいて、
前記筐体は、長さＬ１の長辺と長さＬ２の短辺とを備えた長方形状の筐体底面部と、前記筐体底面部の縁部から立設された側壁部とを有し、前記側壁部は、対向する前記長さＬ１の長辺のそれぞれの縁部から上方に向けて垂直方向に立設された一対の第１の筐体側壁部と、対向する前記長さＬ２の短辺のそれぞれから上方に向けて垂直方向に立設された一対の第２の側壁部とよりなり、
前記上面部は、長さＬ３の長辺と長さＬ４の短辺とを備えた略長方形状を備え、前記周壁部は、対向する前記長さＬ３の長辺のそれぞれの縁部から下方に向けて略垂直方向に延設された一対の第１の側壁部と、対向する前記長さＬ４の短辺のそれぞれの縁部から下方に向けて略垂直方向に延設された一対の第２の側壁部とよりなり、
前記長さＬ１と前記長さＬ２と前記長さＬ３と前記長さＬ４とは、前記長さＬ３は前記長さＬ１よりも長く、前記長さＬ４は前記長さＬ２よりも長く、かつ、前記長さＬ１よりも短い
ことを特徴とする据置型読み取り装置の汚染防止カバー。
【請求項３】
請求項１または２のいずれか１項に記載の据置型読み取り装置の汚染防止カバーにおいて、
前記周壁部の高さは、前記筐体の高さの略３分の１の高さである
ことを特徴とする据置型読み取り装置の汚染防止カバー。
【請求項４】
請求項１、２または３のいずれか１項に記載の据置型読み取り装置の汚染防止カバーにおいて、
前記上面部に、手指により触って位置を確認するための標識としての凸状の段部を形成した
ことを特徴とする据置型読み取り装置の汚染防止カバー。
【請求項５】
請求項２に記載の据置型読み取り装置の汚染防止カバーにおいて、
前記第２の側壁部は、前記長さＬ４方向における両端部近傍において前記第２の側壁部の高さ方向に延設された突出部を形成した
ことを特徴とする据置型読み取り装置の汚染防止カバー。
【請求項６】
請求項１、２、３、４または５のいずれか１項に記載の据置型読み取り装置の汚染防止カバーにおいて、
前記透明材料は、ＰＥＴ（ｐｏｌｙｅｔｈｙｌｅｎｅ  ｔｅｒｅｐｈｔｈａｌａｔｅ：ポリエチレンテレフタレート）、 ＰＶＣ（ｐｏｌｙｖｉｎｙｌ  ｃｈｌｏｒｉｄｅ：ポリ塩化ビニール）、ＰＣ（ｐｏｌｙｃａｒｂｏｎａｔｅ：ポリカーボネート）またはアクリル樹脂（ａｃｒｙｌｉｃ  ｒｅｓｉｎ）である
ことを特徴とする据置型読み取り装置の汚染防止カバー。
【請求項７】
請求項６に記載の据置型読み取り装置の汚染防止カバーにおいて、
前記透明材料の厚さは、０．３ｍｍ〜０．５ｍｍである
ことを特徴とする据置型読み取り装置の汚染防止カバー。
【発明の詳細な説明】
【技術分野】
【０００１】
本発明は、据置型読み取り装置の汚染防止カバーに関する。さらに詳細には、本発明は、手術室などにおいてメスやハサミなどのような医療用鋼製器具などに打刻された２次元シンボルなどの識別記号を読み取る据置型読み取り装置に用いて好適な据置型読み取り装置の汚染防止カバーに関する。
【背景技術】
【０００２】
従来より、手術室などにおいてメスやハサミなどの医療用鋼製器具に打刻された２次元シンボルなどの識別記号を読み取る据置型読み取り装置として、例えば、ＷＯ２０１６／０２１３６６号公報などに開示された据置型読み取り装置が知られている。
【０００３】
図１（ａ）には、ＷＯ２０１６／０２１３６６号公報などに開示された従来の据置型読み取り装置を模式的に示す概略構成斜視説明図があらわされている。また、図１（ｂ）には、図１（ａ）に示す据置型読み取り装置をＡ−Ａ線により一部を破断して示した概略構成説明図があらわされている。
【０００４】
この図１（ａ）（ｂ）に示す据置型読み取り装置１００は、外形形状が中空直方体形状を備えた箱状体である筐体１０２と、撮影部１０４と、照明部１０６とを有して構成されている。
【０００５】
筐体１０２は、上方が開口した箱状の本体部１０２ａと、本体部１０２ａの上方の開口に配設される蓋部１０２ｂとにより構成されている。本体部１０２ａは、長さＬ１の長辺と長さＬ２の短辺とを備えた長方形状の底面部１０２ａａと、対向する長さＬ１の長辺のそれぞれの縁部から上方に向けて垂直方向に立設された一対の側壁部１０２ａｂ、１０２ａｂと、対向する長さＬ２の短辺のそれぞれの縁部から上方に向けて垂直方向に立設された一対の側壁部１０２ａｃ、１０２ａｃとを備えており、上方側が開口した箱状体である。
【０００６】
側壁部１０２ａｂ、１０２ａｃの高さＨ１、即ち、筐体１０２の高さＨ１は、設計条件や使用の際の便宜性を考慮して、適宜の高さに設定される。
【０００７】
蓋部１０２ｂは、本体部１０２ａの上方側の開口に配設される長方形の板状体である。蓋部１０２ｂの略中央部分には、略円形の開口部が形成されている。この開口部はガラスや樹脂などの透明材料により被覆され、医療用鋼製器具などの読み取り対象物を載置して、読み取り対象物に形成された２次元シンボルなどの識別記号を撮影部１０４により読み取るための載置部１０２ｂａとされている。
【０００８】
撮影部１０４は、筐体１０２内において底面部１０２ａ上に配置されている。照明部１０６は、筐体１０２内において蓋部１０２ｂの下方側に隣接して配設されている。
【０００９】
据置型読み取り装置１００の撮影部１０４および照明部１０６は、パーソナルコンピューター１０８と接続されている。
【００１０】
なお、符号１０４ａは撮影部１０４のレンズであり、載置部１０２ｂａの下方側に配置される。
【００１１】
そして、据置型読み取り装置１００においては、図２に示すように、例えば、表面の任意の箇所に識別記号として２次元シンボル２０２が形成された読み取り対象物たる医療用鋼製器具２００を、載置部１０２ｂａの領域内に２次元シンボル２０２を位置させるようにして載置部１０２ｂａ上に載置し、２次元シンボル２０２の読み取りを行う。
【００１２】
ところで、例えば、病院などにおいて手術や治療の際に使用された読み取り対象物たる医療用鋼製器具２００は、病原菌などの付着により汚染されている。
【００１３】
上記したような据置型読み取り装置１００を用いて、汚染された医療用鋼製器具２００の２次元シンボル２０２を読み取った場合には、据置型読み取り装置１００の載置部１０２ｂａも汚染されてしまう。このため、載置部１０２ｂａを汚染された据置型読み取り装置１００を再度使用する際には、載置部１０２ｂａを汚染された据置型読み取り装置１００を滅菌装置に入れて滅菌処理する必要があった。
【００１４】
しかしながら、滅菌装置に入れて据置型読み取り装置１００を滅菌処理するためには、据置型読み取り装置１００を防水・耐高温仕様により製造する必要があるため、製造コストが高価になるという問題点があった。
【００１５】
このため、防水・耐高温仕様の据置型読み取り装置は、病院などにはあまり普及していないというのが実情である。
【００１６】
また、載置部１０２ｂａは、ガラスや樹脂などの透明材料により形成されているため、医療用鋼製器具２００を載置する際に医療用鋼製器具２００の刃先などで傷付きやすいものであった。そして、載置部１０２ｂａに傷が付くと、医療用鋼製器具２００に形成された２次元シンボル２０２の読み取りが不可能になる恐れがあるという問題点があった。
【先行技術文献】
【特許文献】
【００１７】
【特許文献１】ＷＯ２０１６／０２１３６６号公報
【発明の概要】
【発明が解決しようとする課題】
【００１８】
本発明は、従来の技術における上記したような問題点に鑑みてなされたものであり、その目的とするところは、低コストで簡便に据置型読み取り装置の載置部の汚染を防止することのできる据置型読み取り装置の汚染防止カバーを提供しようとするものである。
【００１９】
また、本発明の目的とするところは、低コストで簡便に据置型読み取り装置の載置部の傷付きを防止することのできる据置型読み取り装置の汚染防止カバーを提供しようとするものである。
【課題を解決するための手段】
【００２０】
上記目的を達成するために、本発明は、識別記号を形成された読み取り対象物を載置して上記識別記号を読み取るための載置部を筐体の上方に設けた据置型読み取り装置の汚染を防止する、据置型読み取り装置の汚染防止カバーであって、全体が透明材料により形成され、据置型読み取り装置の筐体の上方に設けた載置部上に配置される上面部と、上記上面部の縁部に形成されて上記筐体の側壁部と対向して配置される周壁部とを有し、上記据置型読み取り装置の上記筐体の上方側から上記筐体を被覆するようにしたものである。
【００２１】
また、本発明は、上記した本発明において、上記筐体は、長さＬ１の長辺と長さＬ２の短辺とを備えた長方形状の筐体底面部と、上記筐体底面部の縁部から立設された側壁部とを有し、上記側壁部は、対向する上記長さＬ１の長辺のそれぞれの縁部から上方に向けて垂直方向に立設された一対の第１の筐体側壁部と、対向する上記長さＬ２の短辺のそれぞれから上方に向けて垂直方向に立設された一対の第２の側壁部とよりなり、上記上面部は、長さＬ３の長辺と長さＬ４の短辺とを備えた略長方形状を備え、上記周壁部は、対向する上記長さＬ３の長辺のそれぞれの縁部から下方に向けて略垂直方向に延設された一対の第１の側壁部と、対向する上記長さＬ４の短辺のそれぞれの縁部から下方に向けて略垂直方向に延設された一対の第２の側壁部とよりなり、上記長さＬ１と上記長さＬ２と上記長さＬ３と上記長さＬ４とは、上記長さＬ３は上記長さＬ１よりも長く、上記長さＬ４は上記長さＬ２よりも長く、かつ、上記長さＬ１よりも短いようにしたものである。
【００２２】
また、本発明は、上記した本発明において、上記周壁部の高さは、上記筐体の高さの略３分の１の高さであるようにしたものである。
【００２３】
また、本発明は、上記した本発明において、上記上面部に、手指により触って位置を確認するための標識としての凸状の段部を形成したものである。
【００２４】
また、本発明は、上記した本発明において、上記第２の側壁部は、上記長さＬ４方向における両端部近傍において上記第２の側壁部の高さ方向に延設された突出部を形成したものである。
【００２５】
また、本発明は、上記した本発明において、上記透明材料は、ＰＥＴ（ｐｏｌｙｅｔｈｙｌｅｎｅ  ｔｅｒｅｐｈｔｈａｌａｔｅ：ポリエチレンテレフタレート）、 ＰＶＣ（ｐｏｌｙｖｉｎｙｌ  ｃｈｌｏｒｉｄｅ：ポリ塩化ビニール）、ＰＣ（ｐｏｌｙｃａｒｂｏｎａｔｅ：ポリカーボネート）またはアクリル樹脂（ａｃｒｙｌｉｃ  ｒｅｓｉｎ）であるようにしたものである。
【００２６】
また、本発明は、上記した本発明において、上記透明材料の厚さは、０．３ｍｍ〜０．５ｍｍであるようにしたものである。
【発明の効果】
【００２７】
本発明は、以上説明したように構成されているので、低コストで簡便に据置型読み取り装置の載置部の汚染を防止することができるようになるという優れた効果を奏するものである。
【００２８】
また、本発明は、以上説明したように構成されているので、低コストで簡便に据置型読み取り装置の載置部の傷付きを防止することができるようになるという優れた効果を奏するものである。
【図面の簡単な説明】
【００２９】
【図１】図１（ａ）は、従来の据置型読み取り装置を模式的に示す概略構成斜視説明図である。図１（ｂ）は、図１（ａ）に示す従来の据置型読み取り装置をＡ−Ａ線により一部を破断して示した概略構成説明図である。
【図２】図２は、図１に示す従来の据置型読み取り装置の載置部に医療用鋼製器具を載置した状態を示す説明図である。
【図３】図３は、本発明による据置型読み取り装置の汚染防止カバーの実施の形態の一例を示す斜視構成説明図である。
【図４】図４は、図３に示す汚染防止カバーを図１に示す据置型読み取り装置に被覆した状態を示す説明図である。
【図５】図５は、図３に示す汚染防止カバーを図１に示す据置型読み取り装置に被覆した状態を示す説明図である。
【図６】図６は、図１に示す据置型読み取り装置に被覆した図３に示す汚染防止カバー上に、医療用鋼製器具を載置した状態を示す説明図である。
【発明を実施するための形態】
【００３０】
以下、添付の図面を参照しながら、本発明による据置型読み取り装置の汚染防止カバーの実施の形態の一例を詳細に説明するものとする。
【００３１】
なお、以下の説明においては、本発明の理解を容易にするために、本発明による据置型読み取り装置の汚染防止カバーを、図１（ａ）（ｂ）に示す据置型読み取り装置に用いる場合について説明する。
【００３２】
また、上記した「背景技術」の項を含む本明細書の説明においては、説明の便宜上、紙面の上方側を高さ方向の上方側とし、また、紙面の下方側を高さ方向の下方側として説明しているが、方向性についてはこれに限られるものではないことは勿論である。
【００３３】
図３には、本発明による据置型読み取り装置の汚染防止カバー（以下、単に「汚染防止カバー」と適宜に称する。）の実施の形態の一例を示す斜視構成説明図があらわされている。
【００３４】
汚染防止カバー１０は、全体が透明材料により形成されている。透明材料としては、例えば、ＰＥＴ（ｐｏｌｙｅｔｈｙｌｅｎｅ  ｔｅｒｅｐｈｔｈａｌａｔｅ：ポリエチレンテレフタレート）、 ＰＶＣ（ｐｏｌｙｖｉｎｙｌ  ｃｈｌｏｒｉｄｅ：ポリ塩化ビニール）、ＰＣ（ｐｏｌｙｃａｒｂｏｎａｔｅ：ポリカーボネート）あるいはアクリル樹脂（ａｃｒｙｌｉｃ  ｒｅｓｉｎ）などを用いることができる。
【００３５】
また、汚染防止カバー１０を形成する透明材料の厚さは、例えば、０．３ｍｍ〜０．５ｍｍである。
【００３６】
汚染防止カバー１０は、長さＬ３の長辺と長さＬ４の短辺とを備えた略長方形状の上面部１２と、上面部１２の縁部から下方に向けて略垂直方向に延設された周壁部１３とを有した、下方側が開口した中空直方体形状を備えた箱状体である。
【００３７】
周壁部１３は、上面部１２において長さＬ３を有する対向する一対の長辺のそれぞれの縁部から下方に向けて略垂直方向に延設された一対の側壁部１４、１４と、上面部１２において長さＬ４を有する対向する一対の短辺のそれぞれの縁部から下方に向けて略垂直方向に延設された一対の側壁部１６、１６とよりなる。
【００３８】
上面部１２と、周壁部１３たる一対の側壁部１４、１４および一対の側壁部１６、１６とにより、下方側が開口した中空直方体形状を備えた箱状体が形成される。
【００３９】
ここで、以下に、長さＬ１と長さＬ２と長さＬ３と長さＬ４との関係について説明する。長さＬ３は、長さＬ１よりも長い（Ｌ３＞Ｌ１）。長さＬ４は、長さＬ２よりも長く、かつ、長さＬ１よりも短い（Ｌ１＞Ｌ３＞Ｌ２）。
【００４０】
また、対向する側壁部１４、１４および対向する側壁部１６、１６の高さＨ２は、例えば、筐体１０２の高さＨ１の略３分の１（１／３）程度の高さを備えている。
【００４１】
対向する側壁部１６、１６のそれぞれには、長さＬ４方向における両端部近傍において高さＨ２方向に延設された突出部１６ａがそれぞれ形成されている。
【００４２】
また、上面部１２における一方の側壁部１４の近傍には、長さＬ３方向に沿って、手指により触って位置を確認するための標識としての凸状の段部１２ａが形成されている。
【００４３】
なお、上記した構成の汚染防止カバー１０は、例えば、上記した各種の材料を用いて真空成型や圧空成型による一体成型により、低コストで容易に作製することができる。
【００４４】
以上の構成において、汚染防止カバー１０は、図４ならびに図５に示すように、据置型読み取り装置１００の上方側から、筐体１０２の側壁部１０２ａｂ、１０２ａｃに汚染防止カバー１０の周壁部１３を被覆するようにして取り付けて使用する。
【００４５】
具体的には、汚染防止カバー１０の上面部１２と筐体１０２の蓋部１０２ｂとを当接し、汚染防止カバー１０の一対の側壁部１４、１４と筐体１０２の一対の側壁部１０２ａｂ、１０２ａｂとをそれぞれ対向して配置し、汚染防止カバー１０の一対の側壁部１６、１６と筐体１０２の一対の側壁部１０２ａｃ、１０２ａｃとをそれぞれ対向して配置するようにする。
【００４６】
この際に、筐体１０２の蓋部１０２ｂの上から汚染防止カバー１０を被せるだけでよいので、作業者が手術用ゴム手袋を着けていても、据置型読み取り装置１００の筐体１０２に汚染防止カバー１０を簡単に取り付けることができる。
【００４７】
上記のようにして汚染防止カバー１０を筐体１０２の蓋部１０２ｂの蓋部１０２ｂ側に被覆することにより、汚染防止カバー１０の上面部１２と筐体１０２の蓋部１０２ｂとが密着して、汚染防止カバー１０の上面部１２と蓋部１０２ｂの載置部１０２ｂａとが予め設定された間隙を開けるようにして、載置部１０２ｂａの上に上面部１２が配置される。
【００４８】
汚染防止カバー１０は透明材料により形成され、かつ、汚染防止カバー１０の上面部１２と筐体１０２の蓋部１０２ｂとが密着して、汚染防止カバー１０の上面部１２と蓋部１０２ｂの載置部１０２ｂａとが予め設定された間隙を開けて配置されるので、図６に示すように、汚染防止カバー１０の上面部１２上に、識別記号として２次元シンボル２０２が形成された読み取り対象物たる医療用鋼製器具２００を配置するとともに、載置部１０２ｂａの領域内に２次元シンボル２０２を位置させるようにして２次元シンボル２０２の読み取りを行う際に、汚染防止カバー１０が撮影部１０４による２次元シンボルの読み取りの障碍となることはない。
【００４９】
汚染防止カバー１０により据置型読み取り装置１００を被覆することにより、医療用鋼製器具２００と据置型読み取り装置１００の筐体１０２の蓋部１０２ｂとが接触することがないので、据置型読み取り装置１００により汚染された医療用鋼製器具２００の読み取りを行っても、蓋部１０２ｂにおける載置部１０２ｂａの汚染を防止することができるとともに、医療用鋼製器具２００により載置部１０２ｂａを傷付ける恐れがない。
【００５０】
据置型読み取り装置１００を被覆する汚染防止カバー１０は、低コストで製造することができるので、必要に応じて適宜交換して使い捨てにすればよい。
【００５１】
このように汚染防止カバー１０を使い捨てにすることにより、汚染防止カバー１０自体を洗浄する手間やそのための人的コストを削減することができるとともに、常に清潔な状態の汚染防止カバー１０により据置型読み取り装置１００を被覆することができる。
【００５２】
ここで、長さＬ１と長さＬ２と長さＬ３と長さＬ４との関係により、汚染防止カバー１０の一対の側壁部１４、１４と筐体１０２の一対の側壁部１０２ａｂ、１０２ａｂとをそれぞれ対向して配置し、汚染防止カバー１０の一対の側壁部１６、１６と筐体１０２の一対の側壁部１０２ａｃ、１０２ａｃとをそれぞれ対向して配置しないと、汚染防止カバー１０の上面部１２と筐体１０２の蓋部１０２ｂとが密着することがない。
【００５３】
しかしながら、汚染防止カバー１０を筐体１０２の蓋部１０２ｂ側に被覆する際に、手指により段部１２ａを触って標識として利用することができる。
【００５４】
このため、照明があまりないような暗い場所であっても、手指により段部１２ａを触って標識として利用して、汚染防止カバー１０の上面部１２と筐体１０２の蓋部１０２ｂとが密着するように、汚染防止カバー１０を筐体１０２の蓋部１０２ｂ側に被覆することができる。
【００５５】
なお、側壁部１６に形成された凸部１６ａは、汚染防止カバー１０の強度を向上するのに貢献しているとともに、使用者が手指により汚染防止カバー１０を把持する際の把持しやすさにも貢献している。また、側壁部１６に形成された凸部１６ａは、汚染防止カバー１０を筐体１０２の蓋部１０２ｂの蓋部１０２ｂ側に被覆する際の標識としても利用することができる。
【００５６】
本発明による汚染防止カバーを用いることにより、低コストで簡便に、従来より病院等で用いている据置型読み取り装置の載置部の汚染を防止することができるようになるとともに、当該載置部の傷付きを防止することもできるようになる。
【００５７】
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更を行うことができる。
【００５８】
例えば、上記した実施の形態は、以下の（１）乃至（９）に示すように変形するようにしてもよい。
【００５９】
（１）上記した実施の形態においては、汚染防止カバー１０の耐熱性については説明を省略したが、汚染防止カバー１０が耐熱性を備えていてもよいことは勿論である。汚染防止カバー１０が耐熱性を備えていれば、汚染防止カバー１０自体を滅菌処理することができるので、手術室内において使用する際の安全度を向上することができる。
【００６０】
（２）上記した実施の形態においては、汚染防止カバー１０の対向する側壁部１４、１４および対向する側壁部１６、１６の高さＨ２は、例えば、筐体１０２の高さＨ１の略３分の１（１／３）程度の高さを備えているものとしたが、これに限られるものではないことは勿論である。高さＨ２は、高さＨ１以下であれば、設計条件などに応じて適宜の高さに設定してよい。
【００６１】
（３）上記した実施の形態においては、突出部１６ａは長さＬ４方向における両端部近傍において高さＨ２方向に延設された形状としたが、これに限られるものではないことは勿論である。こうした突出部は、例えば、突起状に単数あるいは複数形成するようにしてもよい。
【００６２】
（４）上記した実施の形態においては、汚染防止カバー１０の対向する側壁部１６、１６に突出部１６ａをそれぞれ形成したが、これに限られるものではないことは勿論である。こうした突出部を全く形成しなくてもよいし、あるいは、対向する側壁部１６、１６または対向する側壁部１４、１４のいずれかに形成してもよいし、あるいは全てに形成してもよい。
【００６３】
（５）上記した実施の形態においては、上面部１２における一方の側壁部１４の近傍に、手指により触る標識としての段部１２ａを形成したが、これに限られるものではないことは勿論である。こうした標識としての段部を形成しなくてもよいし、あるいは、複数箇所に形成するようにしてもよい。
【００６４】
（６）上記した実施の形態においては、長さＬ１と長さＬ２と長さＬ３と長さＬ４との関係について、長さＬ３が長さＬ１よりも長く（Ｌ３＞Ｌ１）、長さＬ４が長さＬ２よりも長く、かつ、長さＬ１よりも短い（Ｌ１＞Ｌ３＞Ｌ２）ものとしたが、これに限られるものではないことは勿論である。汚染防止カバー１０は、据置型読み取り装置１００の筐体１０２に被覆するように取り付けることができればよいので、長さＬ３、長さＬ４および高さＨ２を含む寸法については、設計条件などに応じて適宜に決定してよい。
【００６５】
（７）上記した実施の形態においては、据置型読み取り装置１００の筐体１０２の外形形状の直方体形状に合わせて、汚染防止カバー１０を下方側に開口した中空直方体形状を備えた箱状体としたが、これに限られるものではないことは勿論である。据置型読み取り装置１００の筐体１０２の外形形状に合わせて、汚染防止カバー１０の形状を変えてもよい。例えば、据置型読み取り装置１００の筐体１０２の外形形状が中空円筒形状に形成された場合には、汚染防止カバー１０を下方側に開口した中空円筒形状を備えた筒状体としてもよい。
【００６６】
（８）上記した実施の形態においては、据置型読み取り装置として、本体部１０２ａと蓋部１０２ｂとが分割して構成された筐体１０２を備えた据置型読み取り装置１００について示したが、これに限られるものではないことは勿論である。例えば、本体部と蓋部とが一体的に構成された筐体を備えた据置型読み取り装置に対しても、当然のことながら、本発明による汚染防止カバーを適用することができる。あるいは、本体部と蓋部とが一体的に構成されるとともに、本体部の底面部や側壁部あるいは蓋部などが開閉自在に構成された筐体を備えた据置型読み取り装置に対しても、当然のことながら、本発明による汚染防止カバーを適用することができる。
【００６７】
（９）上記した実施の形態においては、上記した実施の形態ならびに上記した（１）乃至（８）に示す変形例を適宜に組み合わせるようにしてもよいことは勿論である。
【産業上の利用可能性】
【００６８】
本発明は、手術室などにおいてメスやハサミなどのような医療用鋼製器具などに打刻された２次元シンボルなどの識別記号を読み取る据置型読み取り装置に用いて好適である。
【符号の説明】
【００６９】
１０  汚染防止カバー、１２  上面部、１２ａ  段部、１３  周壁部、１４  側壁部（第１の側壁部）、１６  側壁部（第２の側壁部）、１６ａ  突出部、１００  据置型読み取り装置、１０２  筐体、１０２ａ  本体部、１０２ａａ  底面部（筐体底面部）、１０２ａｂ  側壁部（第１の筐体側壁部）、１０２ａｃ  側壁部（第２の筐体側壁部）、１０２ｂ  蓋部、１０２ｂａ  載置部、１０４  撮影部、１０４ａ  レンズ、１０６  照明部、１０８  パーソナルコンピューター、２０２  医療用鋼製器具（読み取り対象物）、２０２  ２次元シンボル（識別記号）
【図１】
2018202057.tif 000003
【図２】
2018202057.tif 000004
【図３】
2018202057.tif 000005
【図４】
2018202057.tif 000006
【図５】
2018202057.tif 000007
【図６】
2018202057.tif 000008